(57)【要約】【課題】室外機の底板の熱伝導率が高いと、室外機の底板自体の温度が室外空気の露点温度を下回り、室外熱交換器の反対面（ドレンパン外側）でも空気中の水分が結露する。本発明は、室外機の底面のうち、室外熱交換器２の反対面で結露した凝縮水の滴下を抑制し、任意の場所に排水することが可能な空気調和機の室外機を提供することを目的とする。【解決手段】金属で構成された底板と、底板上に位置する室外熱交換器とを備え、底板は、排水穴と、室外熱交換器の反対面に位置し、室外熱交換器の下方から排水穴まで連続して設けられた凸形状又は凹形状のビードとを有する空調和機の室外機。【選択図】図４
2015140931.tif 000002
【特許請求の範囲】
【請求項１】
金属で構成された底板と、
前記底板上に位置する室外熱交換器とを備え、
前記底板は、排水穴と、前記室外熱交換器の反対面に位置し、前記室外熱交換器の下方から前記排水穴まで連続して設けられた凸形状又は凹形状のビードとを有する空調和機の室外機。
【請求項２】
前記底板は、前記ビードを所定の間隔で複数本有していることを特徴とする請求項１に記載の空調和機の室外機。
【請求項３】
前記ビードは、前記室外熱交換器の反対側に凸形状であり、前記室外熱交換器側に凹形状であることを特徴とする請求項１又は２に記載の空気調和機の室外機。
【発明の詳細な説明】
【技術分野】
【０００１】
本発明は、空気調和機の室外機に関する。
【背景技術】
【０００２】
特許文献１には、熱交換器設置部６の底板周縁寄りに列設した複数個の熱交換器載置棚７に、熱交換器３の背面側３Ａの部分を載置して、熱交換器３の前面側３Ｂが中央寄りの排水溝８の上に位置するように設置し、熱交換器３の背面側３Ａ側の熱交換器載置棚７と排水溝８とを連通する樋９を熱交換器３の下側の底板５に設けるようにした空気調和機の室外機が記載されている。  特許文献１によれば、熱交換器で生成された結露水を排出することができる。
【先行技術文献】
【特許文献】
【０００３】
【特許文献１】特開２００５−１８８８３７号公報
【発明の概要】
【発明が解決しようとする課題】
【０００４】
ところで、室外機の底板をドレンパンとして利用することで、部品数を削減することができる。
【０００５】
しかしながら、底板は室外機を支える部品であり、強度を確保するために金属で構成される。すなわち、ドレンパンは熱伝導率が高い素材で構成されることになる。そして、室外機の底板は室外熱交換器に接するため、室外機の底板は室外熱交換器によって冷やされる。ここで、室外機の底板の熱伝導率が高いと、室外機の底板自体の温度が室外空気の露点温度を下回り、室外熱交換器の反対面（ドレンパン外側）でも空気中の水分が結露する。結露水は成長すると滴下に至ってしまうおそれがあり、エンドユーザが意図しない箇所を濡らすおそれがある。
【０００６】
そこで、本発明は、室外機の底面のうち、室外熱交換器の反対面で結露した凝縮水の滴下を抑制し、任意の場所に排水することが可能な空気調和機の室外機を提供することを目的とする。
【課題を解決するための手段】
【０００７】
本発明に係る空気調和機の室外機は、上記課題を解決する手段を複数含んでいるが、その一例を挙げるならば、金属で構成された底板と、底板上に位置する室外熱交換器とを備え、底板は、排水穴と、室外熱交換器の反対面に位置し、室外熱交換器の下方から排水穴まで連続して設けられた凸形状又は凹形状のビードとを有する。
【発明の効果】
【０００８】
本発明によれば、室外機の底面のうち、室外熱交換器の反対面で結露した凝縮水の滴下を抑制し、任意の場所に排水することが可能な空気調和機の室外機を提供することができる。
【図面の簡単な説明】
【０００９】
【図１】実施例１に係る空気調和機のサイクル構成図である。
【図２】実施例１に係る空気調和機の室外機の斜視図である。
【図３】実施例１に係る外郭部品や内蔵部品の一部を取り外した状態の室外機の斜視図である。
【図４】実施例１に係る室外機を背面側下方から見た斜視図である。
【図５】実施例１に係るドレンパンの排水穴周辺の拡大図である。
【図６】実施例１に係る室外機の長手方向の断面図である。
【図７】実施例１に係る排水穴に排水用ジョイント部品を接続した状態の斜視図である。
【図８】実施例１に係る室外機の短手方向の断面図である。
【図９】実施例２に係る室外機の短手方向の断面図である。
【発明を実施するための形態】
【００１０】
本発明の実施形態について、適宜図面を参照しながら詳細に説明する。なお、各図において共通する部分には同一の符号を付し、重複した説明を省略する。
【実施例１】
【００１１】
図１は実施例１に係る空気調和機のサイクル構成図である。冷房運転時は、圧縮機３４より吐出された高温且つ高圧の冷媒は、四方弁３５を介して室外熱交換機２に流入する。室外熱交換機２に流入した冷媒は、室外送風ファン３８によって送られる室外の空気と熱交換することで、凝縮されて液冷媒となる。液冷媒は、膨張弁３６を通過することで低温低圧の二相冷媒になり、室内熱交換器３９に流入する。室内熱交換器３９に流入した低温低圧の二相冷媒は、室内送風ファン４０によって送られる室内の空気と熱交換する。このとき、室内熱交換器３９に送られた室内の空気は、室内熱交換器３９に流入した低温低圧の二相冷媒によって冷却され、吹出口３から室内に吐出される。吹出口３から室内に吐出される空気は、吸込口２における空気の温度よりも低いため、室内の温度を下げることができる。室内熱交換器３９で熱交換された冷媒は四方弁３５を介して再び圧縮機３４に戻る。圧縮機３４と室外熱交換器２と室外送風ファン３８と膨張弁３６は室外機１に配置され、室内熱交換器３９と室内送風ファン４０は室内機４１に配置されている。
【００１２】
次に、空気調和機の室外機における内部の水処理の構成を説明する。図２は、実施例１に係る空気調和機の室外機の斜視図である。図３は、実施例１に係る外郭部品や内蔵部品の一部を取り外した状態の室外機の斜視図である。
【００１３】
空気調和機の室外機１は図２に示すように外郭部品１０で構成されているが、外郭部品１０や圧縮機（図示せず）や室外送風ファン（図示せず）などの内蔵部品を取り外すと、図３に示すような構造となる。室外機１は、１回もしくは２回曲げ加工された室外熱交換器２と、その下部に設置され、各部品の台座の役割をなすとともに内部の水受けの役割をもつドレンパン３を備える。ドレンパン３の下部には設置用の脚部１１が設けられる。
【００１４】
空気調和機の暖房時、室外熱交換器２は外気よりも低温となる。そして、室外熱交換器２が室外空気の露点温度を下回ると、室外熱交換器２に空気中の水分が結露し、それら凝縮水はドレンパン３へ流れる。又、結露が着霜となった場合は、逆サイクル運転等の着霜を解除する手段により融解水がドレンパン３に流れる。
【００１５】
ドレンパン３には勾配４が設けられており、流れてきた水が排水穴５へ導かれる構造となっている。又、排水穴５には、エンドユーザが任意の場所に排水できるようホース等の排水部品を接続可能な排水用ジョイント部品が接続可能な構造となっている。
【００１６】
図４〜７を用いて本実施例に係る結露水の滴下防止構造を説明する。図４は、実施例１に係る室外機を背面側下方から見た斜視図である。図５は、実施例１に係るドレンパンの排水穴周辺の拡大図である。図６は、実施例１に係る室外機の長手方向の断面図である。図７は、実施例１に係る排水穴に排水用ジョイント部品を接続した状態の斜視図である。
【００１７】
ところで、室外機１の底板（ベース）をドレンパン３として利用することで、部品数を削減することができる。しかしながら、底板（ベース）は室外機１を支える部品であり、強度を確保するために金属で構成される。すなわち、ドレンパン３は熱伝導率が高い素材で構成されることになる。
【００１８】
そして、ドレンパン３は室外熱交換器２に接しており、ドレンパン３は室外熱交換器２によって冷やされる。ここで、ドレンパン３の熱伝導率が高いと、ドレンパン３自体の温度が室外空気の露点温度を下回り、室外熱交換器２の反対面（ドレンパン３外側）でも空気中の水分が結露する。結露水９ａは成長すると滴下に至ってしまうおそれがあり、又、結露水９ａがドレンパン３への表面張力により滴下せず勾配に沿って流れて行った場合も、どこに流れるかを誘導できないため、エンドユーザが意図しない箇所を濡らすおそれがある。例えば、室外機１がウッドデッキの上に設置される場合、木の汚れや  腐食を助長する原因となり、ユーザに不快感を与える可能性がある。  
そこで、本実施例に係るドレンパン３は、図４に示すように室外熱交換器２の下方に対応する箇所であって、室外熱交換器２の反対面にビード７を有している。そして、ビード７は、図５に示すように排水穴５付近まで連続して設けられている。すなわち、本実施例に係る空調和機の室外機は、金属で構成されたドレンパン３（室外機の底板）と、ドレンパン３（室外機の底板）上に位置する室外熱交換器２とを備え、ドレンパン３（室外機の底板）は、排水穴５と、室外熱交換器２の反対面に位置し、室外熱交換器２の下方から排水穴５まで連続して設けられた凸形状又は凹形状のビード７とを有する。
【００１９】
本実施例によれば、図６に示すように室外機の底板のうち、室外熱交換器２の反対面（ドレンパン３外側）に設けたビード７がガイドとなって、ドレンパン３内側の凝縮水および着霜の融解水９ｂと同様に、室外機筺体の底板のうち、室外熱交換器２の反対面（ドレンパン３外側）で発生した結露水９ａを排水用ジョイント部品６まで導くことが出来る。
【００２０】
なお、本実施例に係るビード７は、室外熱交換器２の反対面で発生した結露水を排水穴５から排水できる構造であり、排水穴５付近まで連続して設けられていれば、排水穴５まで連続して設けられていなくてもよい。
【００２１】
又、排水用ジョイント部品６をドレンパン３（室外機の底板）に取り付けた際に、ビード７と排水用ジョイント部品６がラップする位置関係になるようビード７が配置されている。
【００２２】
ドレンパン３（室外機の底板）は、図５に示すようにビード７を所定の間隔で複数本有している。ビード７を複数本設けた場合、各ビード７の隙間に結露水９ａの表面張力が働くことで結露水９ａを保持しつつ勾配に沿って導くことができる。
【００２３】
又、ビード７は、排水用ジョイント部品６とラップする位置に設けられており、結露水９ａを滴下させることなく排水用ジョイント部品６へ回収することができる。排水用ジョイント部品６に回収した結露水は、ホース等の排水部品を接続することでエンドユーザが任意の場所に排水することができる。
【００２４】
図５ではビード７の端部は排水穴５の端部と連続しているが、必ずしも端部まで連続していなくてもよい。又、図５ではビード７は外側へ凸の構造となっているが内側に凸の構造でもよい。又、複数でなく１本でもよい。
【００２５】
ビード７は、室外熱交換器２の下部に位置する箇所に配置され、室外熱交換器２の形状に合わせてラウンドして設けてもよい。
【００２６】
ビード７は、図７に示すように排水用ジョイント部品６を接続した際にジョイント部品６とラップする位置関係としてもよい。
【００２７】
図８は、実施例１に係る室外機の短手方向の断面図である。本実施例に係るビード７は、室外熱交換器２の反対側（ドレンパン３外側）に凸形状であり、室外熱交換器２側（ドレンパン３内側）に凹形状である。ビード７をこのような形状にすることで、ドレンパン３の底面（ドレンパン３外側）の結露水９ａを表面張力で保持して排水孔５に導きつつ、ドレンパン内側のビード１２が凹形状となっており、ドレンパン内側のビード１２はドレンパン内部に溜まる凝縮水及び着霜の融解水９ｂのガイドとなるため、ドレンパン３内部の排水性も高めることができる。
【００２８】
ドレンパン３の冷却の要因である凝縮水および着霜の融解水９ｂの排水性が向上することにより、ドレンパン外側の結露水９ａの総量も減らすことができる。なおドレンパン３外側のビード７が凹の場合は内側のビードは凸となるが、ガイドの役割をなすのは同様である。
【００２９】
なお、ビード７を直線状とし、各ビードの勾配下部に位置する箇所に排水穴５を設けてもよい。ビード７のラウンド部を廃止することで結露水を直線的に容易に導くことができ、排水性を向上させるとともに滴下防止の信頼性を向上させることができる。特に、図３に示すように室外熱交換器２は曲がっているため、排水穴５を２箇所以上設けることが望ましい。
【００３０】
室外熱交換器２の形状に合わせて、排水穴５を２箇所又は３箇所としてもよい。排水穴５を複数設けることによりドレンパン内側の排水性も向上するためドレンパン外側の結露量を減らす効果も期待できる。
【００３１】
ビード７は室外熱交換器２とドレンパン３（室外機の底板）の接触部直下に設けられている。
【実施例２】
【００３２】
実施例２を図９を用いて説明する。図９は、実施例２に係る室外機の短手方向の断面図である。なお、本実施例においてはビードの機能や排水のための基本構成は実施例１と同様であるので、同一の機能を有する部分については説明を省略する。
【００３３】
本実施例では、室外熱交換器２とドレンパン３が接触する面を大きくし、その直下に位置する箇所にビード７を配置している。接触面が大きくなると熱伝導の影響を受けやすくなりドレンパン３の結露量は増す可能性があるが、ビード７を室外熱交換器２の直下に設けることで結露水９ａの滴下を抑制しつつ排水することができる。
【００３４】
又、座面を増やすことで室外熱交換器２の安定性も向上させることができる。又、ドレンパン３の内側の凹ビード１２が室外熱交換器２の直下にあることで凝縮水及び着霜の融解水の排水性を向上させることができるため、冬季等外気が低い環境での結露水の再氷結防止も期待することができる。
【００３５】
以上の通り、本実施例に係る空気調和機の室外機１は、１回もしくは２回曲げ加工された室外熱交換器２と、室外熱交換器２の下方に設置され、室外熱交換器２に結露した凝縮水および着霜の融解水を受けるドレンパン３（室外機の底板）と、ドレンパン３（室外機の底板）に設けられた排水穴５と、排水穴５へ向かって設けられた勾配と、勾配の裏側に凸又は凹のビード７を備え、ビード７が室外熱交換器２の下部に位置する箇所から排水穴５付近まで連続して配置されていることにより、別部品を用いることなく、室外機の底面のうち、室外熱交換器２の反対面（ドレンパン３外側）で結露した凝縮水の滴下を抑制し、任意の場所に排水することができる。
【符号の説明】
【００３６】
１    空気調和機の室外機
２    室外熱交換器
３    ドレンパン
４    ドレンパンの勾配
５    排水穴
６    排水用ジョイント部品
７    ビード
９ａ  ドレンパン外側の結露水
９ｂ  凝縮水および着霜の融解水
１０  室外機の外郭部品
１１  室外機の脚
１２  ドレンパン内側のビード
【図１】
2015140931.tif 000003
【図２】
2015140931.tif 000004
【図３】
2015140931.tif 000005
【図４】
2015140931.tif 000006
【図５】
2015140931.tif 000007
【図６】
2015140931.tif 000008
【図７】
2015140931.tif 000009
【図８】
2015140931.tif 000010
【図９】
2015140931.tif 000011